(57)【要約】 【課題】化粧料ブラシをより簡単な機構で、収納状態とすることができ、その収納状態において特に蓋部材を必要とせず、しかも速やかにブラシを出して使用できる状態にし、使用する化粧料は化粧用ブラシに一体に設けていないので、化粧時毎に任意に選択できること。【解決手段】筒状容器内に、該筒状容器の長さ方向に摺動可能にブラシ体を収納し、該ブラシ体の収納時の位置及び該ブラシ体の使用時の位置のそれぞれの位置において、該ブラシ体を該筒状容器に対して固定する機構を設けてなる化粧用ブラシ。【選択図】  図４
2017108760.tif 000002
【特許請求の範囲】
【請求項１】
筒状容器内に、該筒状容器の長さ方向に摺動可能にブラシ体を収納し、該ブラシ体の収納時の位置及び該ブラシ体の使用時の位置のそれぞれの位置において、該ブラシ体を該筒状容器に対して固定する機構を設けてなる化粧用ブラシ。
【請求項２】
該筒状容器の側面に該筒状容器の長さ方向に延びたスリットを設け、かつ該ブラシ体の側面に凸部を設け、該凸部が該スリットの筒状容器内側から外側に向けて貫通して、該凸部の頂部が該筒状容器外面から突出し、該スリットの一端に該凸部が位置するときには、該ブラシ体は該筒状容器内に収納する位置にあり、該スリットの他端に該凸部が位置するときには、該ブラシ体のブラシは該筒状容器の一端の外部に位置する使用時の位置にある請求項１に記載の化粧用ブラシ。
【請求項３】
該筒状容器内の他端に付勢部材が設けられ、該付勢部材は該ブラシ体を筒状容器の一端に向けて付勢してなる請求項１又は２に記載の化粧用ブラシ。
【請求項４】
化粧料を収納する容器を有しない請求項１〜３のいずれかに記載の化粧用ブラシ。
【請求項５】
アイシャドー化粧用ブラシである請求項１〜４のいずれかに記載の化粧用ブラシ。
【発明の詳細な説明】
【技術分野】
【０００１】
本発明は化粧用ブラシに関する。
【背景技術】
【０００２】
特許文献１に記載されているように、絵具等を塗布する際に使用する筆の形状に類似したアイシャドーブラシは公知である。
また特許文献２に記載されているように、筒状容器内に液体化粧料を収納し、該筒状容器にブラシ手段を設けて、該筒状容器内の液体化粧料を、該ブラシ手段を設けた箇所から供給できる液体化粧料塗布具は公知である。
【０００３】
また特許文献３に記載されているように、ブラシ体を外筒体に移動可能に設け、該ブラシを外筒体の長さ方向に移動可能とすることにより、該ブラシ体の筒状蓋の底部に設けた化粧料と接触させるようにしたブラシ付化粧料容器は公知である。
【先行技術文献】
【特許文献】
【０００４】
【特許文献１】特開２００６−０７５３２９号公報
【特許文献２】特開２００６−０８７７５３号公報
【特許文献３】特開２００３−１０２５４０号公報
【発明の概要】
【発明が解決しようとする課題】
【０００５】
上記の背景技術にて示した、絵具用筆に類似した形状を有するアイシャドーブラシは、不使用時においてブラシ部を特段保護することなく、別の容器に入れたり立てかけたりして収納し、使用時には該容器等から取り出して使用するものである。絵具用筆は使用後において洗浄するので、保管時に周囲を絵具にて汚染することはないが、アイシャドーブラシは使用後において洗浄するものではないので、このような構造のアイシャドーブラシ自体を鞄等内に入れる等して携帯する際には、鞄等の内面を該ブラシに付着したアイシャドー等が汚染することになり、そのようなアイシャドーブラシは決して携帯し易いものではなかった。
また、保管時等において、何らかの拍子にブラシ毛部に外力が加わることによって、ブラシ毛部全体が変形したり、また一部の毛が曲がる等して他の毛とは異なる方向に向いた状態になるなどしたりする可能性がある。そして、このようなブラシでは化粧時に意図する化粧をすることが困難になる。
【０００６】
筒状容器内に液体化粧料を収納し、該筒状容器にブラシ手段を設けて、該筒状容器内の液体化粧料を、該ブラシ手段を設けた箇所から供給できる液体化粧料塗布具は、確かに内部から液体化粧料を供給できる点は良いかも知れないが、ブラシ手段を筒状容器内に収納できるものではなく、収納時において別に設けた蓋体を用いて該ブラシ手段を覆うことが必要である。しかも、そのブラシ手段により塗布できる化粧料は、購入時に一体となっていた筒状容器内の液体化粧料に限定されるものである。
【０００７】
また上記背景技術にて示したブラシ付化粧料容器は、ブラシ自体は外筒体に対して移動できるが、該外筒体内に収納されるものではなく、常に該外筒体の外に位置するものである。そして、筒状蓋内の化粧料と付着させるためのものであり、保管時においてブラシに付着した化粧料が周囲を汚染しないように蓋をする必要があるものである。
【０００８】
上記の背景技術を鑑みて、本発明が解決しようとする課題は、化粧料ブラシをより簡単な機構で、収納状態とすることができ、その収納状態において特に蓋部材を必要とせず、しかも速やかにブラシを出して使用できる状態にし、使用する化粧料は化粧用ブラシに一体に設けていないので、化粧時毎に任意に選択できることである。
【課題を解決するための手段】
【０００９】
上記の課題を解決するために以下の手段を採用する。
１．筒状容器内に、該筒状容器の長さ方向に摺動可能にブラシ体を収納し、該ブラシ体の収納時の位置及び該ブラシ体の使用時の位置のそれぞれの位置において、該ブラシ体を該筒状容器に対して固定する機構を設けてなる化粧用ブラシ。
２．該筒状容器の側面に該筒状容器の長さ方向に延びたスリットを設け、かつ該ブラシ体の側面に凸部を設け、該凸部が該スリットの筒状容器内側から外側に向けて貫通して、該凸部の頂部が該筒状容器外面から突出し、該スリットの一端に該凸部が位置するときには、該ブラシ体は該筒状容器内に収納する位置にあり、該スリットの他端に該凸部が位置するときには、該ブラシ体のブラシは該筒状容器の一端の外部に位置する使用時の位置にある１に記載の化粧用ブラシ。
３．該筒状容器内の他端に付勢部材が設けられ、該付勢部材は該ブラシ体を筒状容器の一端に向けて付勢してなる１又は２に記載の化粧用ブラシ。
４．化粧料を収納する容器を有しない１〜３のいずれかに記載の化粧用ブラシ。
５．アイシャドー化粧用ブラシである１〜４のいずれかに記載の化粧用ブラシ。
【発明の効果】
【００１０】
本発明によれば、化粧用ブラシを使用時の状態と、不使用で収納時の状態とに速やかに切り替えることができ、その結果、収納時において鞄等に入れたとしても、ブラシに付着した化粧料によって該鞄等が汚染されることがなく、かつ別の物品等にあたることにより、該ブラシの毛が外力を受けて変形すること等がない。
そして、本発明の化粧用ブラシはその内部に化粧料を保持しないために、使用時毎に異なる化粧料を使用することも可能である。
【図面の簡単な説明】
【００１１】
【図１】使用時及び不使用時の化粧用ブラシの図
【図２】使用時及び不使用時の別の例の化粧用ブラシの図
【図３】使用時の別の例の化粧用ブラシの図
【図４】不使用時の別の例の化粧用ブラシの図
【図５】不使用時のブラシ体が係止された状態の別の例の化粧用ブラシの図
【図６】別の例の化粧用ブラシの内部を示す図
【図７】蓋を付ける場合の化粧用ブラシの内部を示す図
【図８】蓋を付ける場合の別の例の化粧用ブラシの内部を示す図
【発明を実施するための形態】
【００１２】
本発明を図面に基づいて説明する。
本発明の化粧用ブラシ１は、その使用時において、図１〜図３等に示された外観を有する。
図１に示すように、化粧用ブラシ１は、ブラシ体２及び筒状容器３とからなる。ブラシ体２の先端には化粧料を担持して、皮膚上に塗布するためのブラシ４が設けられている。このブラシ４は図３に例示するように扁平状でも良く、また円形でも良い。
さらに、本発明の化粧用ブラシを使用する化粧料としては、アイシャドー、マスカラ、アイライナー、頬紅等であり、特にアイシャドーが好ましい。
本発明の化粧用ブラシは、その中に化粧料を貯留するものではないので、使用する際には、別に用意した化粧料の充填された容器に化粧用ブラシのブラシ部分を付けることが必要となる。
ブラシ体２はブラシ４と、ブラシ４を保持するための保持部５からなり、保持部５によりブラシ４を保持するための機構は、通常の化粧用ブラシにおけるブラシの保持手段と同様の手段を採用することができ、束ねたブラシ４を保持部５先端に接着、溶着、カシメ、圧着等の手段を採用することができる。  
【００１３】
筒状容器３及び保持部５は、本発明の化粧用ブラシに必要な強度を付与できる材料であれば特に限定されるものではなく、それぞれ独立して、ポリオレフィン、ポリエステル、ポリアミド、ＡＢＳ等の任意の樹脂や、アルミニウム、ステンレス等の金属を選択して使用することができる。
また可能であれば、陶器や木材、竹材等を使用することができる。
【００１４】
ブラシ４として使用できる材料も、通常の化粧用ブラシと同様であり、ポリエステル、ポリアミド、ポリオレフィン、獣毛等を使用できる。
【００１５】
ブラシ体２の保持部５は、摺動可能になるように筒状容器３内に収納される。
そして不使用時において、ブラシ体２の一部が筒状容器３の中に挿入されて収納された状態が図１Ｂである。
【００１６】
このとき図１に示される筒状容器３にはスリット６が形成されている。スリット６は筒状容器３の壁部に、筒状容器の長さ方向に設けられた穴である。
【００１７】
また図１Ａ及びＢにはブラシ体２に形成されている凸部７が示されており、この凸部７は図１Ｃに示すように、化粧用ブラシの使用時において、化粧用ブラシ１内に設けられたバネ等の付勢部材８によって、ブラシ体２は化粧用ブラシ１の外側に向けて付勢されている。この付勢された状態が、ブラシ体２を該筒状容器に対して固定する機構の一つである。
なお、図１Ａに示すように、本発明の化粧用ブラシは、スリット６の両端を直角方向に曲げることなく、単にスリット６を直線状に設けることができる。
【００１８】
本発明の化粧用ブラシ１は、このブラシ体２が筒状容器３内に挿入されてなるものであり、不使用時に挿入する際には、例えば、該付勢部材によって付勢されている凸部７を、指先等によってブラシ体２を筒状部材３内に向けて押し込みながら、ブラシ体２を筒状部材３内に挿入する。
ブラシ体２が筒状容器３内を移動するときには、その結果、該凸部７がスリット６に嵌ることによって、該凸部７はスリット６内を移動することだけが可能であるため、結果的に筒状部材３に対するブラシ体２の移動範囲が制限される。
【００１９】
化粧用ブラシの不使用時の場合には、蓋９をブラシ体２に被せ、その状態で蓋９の開口端が凸部７を押しながら、スリット６の他端であって、ブラシ体２の収納位置まで移動させる。
その結果、ブラシ体２は筒状容器３内に収納され、かつ、蓋９が樹脂製である場合等において、蓋９が有する柔軟性及び弾性を利用して、蓋９の開口端付近に設けた凸部９ａと、該蓋９によりブラシ体２を密閉できる位置において、該凸部９ａと嵌合することができる凸部３ａを筒状容器３に設けることができる。そして、これらの凸部９ａ及び凸部３ａは不使用時においてブラシ体２を該筒状容器３に対して固定する機構の一つである。なお、凸部９ａ及び凸部３ａは、それぞれ全周に亘って形成されることが好ましい。
また、この変形例として凸部９ａ及び凸部３ａのうち一方を凸部ではなく凹部とすることができ、このときには、不使用時においてブラシ体２を該筒状容器３に対して固定する状態において、一方の凸部が他方の凹部内に位置することになる。
その開口端付近の内部に凸部及び／又は凹部が設けられ、その凸部及び／又は凹部に対応して係合できる凸部及び／又は凹部が筒状容器３に設けられることにより、ブラシ体２が収納され、蓋９が確実に筒状容器３に対して蓋をした箇所において、蓋９は筒状容器３に固定される。同時に、ブラシ体２も不使用時の位置において筒状容器３に対して固定される。このときのブラシ体２が筒状容器３に対して固定される機構は、スリット６と蓋９による凸部７の固定である。この固定された状態が、不使用時においてブラシ体２を該筒状容器３に対して固定する機構の一つである。
また使用時には、指先にて蓋９を把持し、若干の力を入れて筒状容器３から離す方向に移動させることにより、蓋９の上記凸部及び／又は凹部と、筒状容器３に設けられた上記凸部及び／又は凹部との係合が外れて、蓋９が開けられるとともに、スリット６を凸部７が移動して、ブラシ体２が使用時の位置に固定される。そして、このときのブラシ体２が筒状容器３に対して固定される機構としては、スリット６をバネ８による付勢である。
【００２０】
また、図２Ａに示すように、筒状容器３のスリット６の端部付近に拡径部１０を設けておき、使用後にブラシ体２を収納位置に移動させるように、蓋９の端部で凸部７を押しながら、蓋９の開口端を拡径部１０に位置させる。このとき、該開口端及び拡径部１０の少なくとも一方が弾性を有していたり、力により変形可能であったりする場合には、蓋９の開口端を拡径部１０に押圧することにより、両者を互いに固定させることができる。これが、不使用時において、ブラシ体２を筒状容器３に対して固定する機構の一つである
このときの固定による力は、化粧用ブラシの不使用時において、不用意に開口端と拡径部１０が離れないことと、使用時において指先の適切な力において、開口端と拡径部１０との固定状態が解消される程度であることが必要である。
【００２１】
ブラシ体２が筒状容器３内に挿入され、スリット６の筒状容器３の前端側の端部に凸部７が位置し、そのスリット６が略直角に曲がる箇所にて係止され、固定された状態を図３に示す。この状態は化粧用ブラシ１が使用できる状態であり、ブラシ体２の先端のブラシ４が筒状容器３の外に位置する状態である。この状態においては、ブラシ４が外部に露出しており、このブラシ４により化粧を行うことができる。
【００２２】
図４Ａは、図１に示す化粧用ブラシ１においてスリット６の両端部を略直角に曲げたときの筒状容器３を示し、図４Ｂにはその中に位置されるブラシ体２を示す。図４Ｂに示すブラシ体２は図１及び２の化粧用ブラシにて使用するブラシ体と構造は変わらないが、図４Ａに示す筒状容器３はスリット６の両端の形状が変更されている。
【００２３】
図５は、ブラシ体２が筒状容器３内に収納され、スリット６の筒状容器３の後端側の端部に凸部７が位置し、そのスリット６が略直角に曲がる箇所にて係止され、固定された状態を示す。この状態は化粧用ブラシ１が不使用である状態であり、ブラシ体２の先端のブラシ４が筒状容器３の中に位置する状態である。この状態においては、ブラシ４が外部に露出しない。そのため、特に筒状容器３よりブラシ体２が露出しないときには、鞄等の中に化粧用ブラシ１を収納しても、付着した化粧料によって鞄の内部が汚染されることがない。
また凸部７が直角に曲げられたスリット６において係止されているために、不用意にブラシ体２が移動することがないので、筒状容器３からブラシ体２が意図せずに露出することがない。このような使用時及び不使用時において凸部７がスリット６の両端部に係止された状態は、本発明におけるブラシ体２を筒状容器３に対して固定する機構の一つである。
【００２４】
次に本発明の化粧用ブラシ１の内部を示す図を図６Ａ及びＢとして示す。
図６Ａはブラシ４が外に出ており、化粧用ブラシ１を使用する状態の図であり、図６Ｂはブラシ４が外に出ていないので化粧用ブラシ１を使用しない状態における図である。
筒状容器３内にてバネ８が設けられており、このバネ８はその一端が筒状容器３の端が閉じた端部に位置しており、他端はブラシ体２の端部を付勢するように密着している。
図６Ａにおいて、バネ８によってブラシ体２が筒状容器３の外側に対して付勢されているが、その凸部７がスリット６の端部に位置することにより、さらに筒状容器３の外側にブラシ体２が位置することはない。そして、このバネ８によってブラシ体２が付勢されることによって、筒状容器３に対してブラシ体２が固定されるために、化粧時において、ブラシ４がグラグラすること無く安定して化粧を行うことができる。
【００２５】
他方、化粧用ブラシ１が不使用時の状態である図６Ｂにおいては、例えば図６Ａに示す使用時から、使用者が指先等によって、凸部７をスリット６に沿って、スリット６のもう一方の端部に向けて移動させることにより、ブラシ体２自体も筒状容器３内に挿入されるように移動する。そして、筒状容器３の中に完全にブラシ体２が挿入された状態であり、凸部７が筒状容器３の後端側のスリット６の端部及びその略直角に曲げられた部分に位置している。
この状態において、バネ８は十分に圧縮されて、筒状容器３内をブラシ体２が不要に移動することがない程度にブラシ体２を付勢し、スリット６の略直角に曲げられた部分と共にブラシ体２を固定する。
なお、この状態において、ブラシ４に付着した化粧料をより厳密に化粧用ブラシ１の筒状容器３内に留めるときには、図示はしないが、別体の蓋状物などを用意しておき、図６Ｂの状態において、筒状容器３のブラシ側端部に蓋をすることができる。
【００２６】
ブラシ側端部に蓋９を付ける場合の別の例を図７Ａ、Ｂ及び図８Ａ、Ｂに示す。図面において蓋９の開口端であり、化粧用ブラシ１を収納する側の端の開口端を斜めに形成しておくことができる。このとき、蓋９を化粧用ブラシ１のブラシ体２側から化粧用ブラシ１に被せるようにして、図７Ａ及び図８Ａの状態から蓋９を右方向に移動させる。このとき凸部７に当接した蓋９の開口端は、右方向に移動しながら該凸部７を押すようにして凸部７ごと右方向に移動する。この結果凸部７が設けられているブラシ体２も該蓋９と共に右方向に移動するので、図７Ｂ及び図８Ｂに示されるように、筒状容器３内にブラシ体２が収納されることになる。
【００２７】
また図７Ｂ及び図８Ｂに示す化粧用ブラシ１に蓋をした状態から蓋９を取って、使用する状態とするときには、蓋をする過程を逆にすればよい。
【００２８】
図７に示す場合と同様に、図８Ａ及びＢにおいて蓋９の開口端であり、化粧用ブラシ１を収納する側の端の開口端を斜めに形成しておくことができる。このとき、蓋９を化粧用ブラシ１のブラシ体２側から化粧用ブラシ１に被せるようにして、図８Ａの状態から蓋９を右方向に移動させる。なお、凸部７をブラシ４側のスリット６端部において、予め指などによりスリット６端部から略直角方向に曲がる箇所に凸部７を移動させた状態から、図８Ａに示す状態としておくことができる。このとき凸部７に当接した蓋９の開口端は、右方向に移動しながら該凸部７を押すようにして凸部７ごと右方向に移動する。この結果凸部７が設けられているブラシ体２も該蓋９と共に右方向に移動するので、筒状容器３内に収納されることになる。
該凸部７がスリット６の右端に到達したとき、該凸部７を押すように移動された蓋９の開口端が斜めに設けられているので、その斜めの開口端はスリット６端部において該凸部７をスリット６端部から略直角方向に曲がる箇所に向けて方向を変えて押すことができる。
該凸部７がスリット６端部から略直角方向に移動されてその端部に位置した時点において蓋９は固定されて、図８Ｂに示されるように、化粧用ブラシ１は蓋９により蓋がされた状態となる。
【００２９】
また図８Ｂに示す化粧用ブラシ１に蓋をした状態から蓋９を取って、使用する状態とするときには、蓋をする過程を逆にすればよい
またスリットの両端に設けた略直下右方向の曲がる箇所をスリット６に対して同じ方向に曲げて設けることもできる。なお図８ではスリット６に対して略直角に曲がる箇所は互いに逆方向に設けられている。
もちろん、蓋９を化粧用ブラシ１に被せる際に、予め凸部７を指等によって移動させてブラシ体２を筒状容器内に収納しておくこともできる。さらに、スリット６両端に設けられた略直角にまがる箇所にある凸部７を指等によって、スリット６端部に位置させておくこともできる。  
このように、指等によってスリット端部における凸部７を移動させるときには、蓋９の開口端を図８に示すような斜めに形成する必要はなく、蓋９の長さ方向に垂直な開口端となるように形成することもできる。
【符号の説明】
【００３０】
１・・・化粧用ブラシ
２・・・ブラシ体
３・・・筒状容器
４・・・ブラシ
５・・・保持部
６・・・スリット
７・・・凸部
８・・・バネ
９・・・蓋
１０・・拡径部
【図１】
2017108760.tif 000003
【図２】
2017108760.tif 000004
【図３】
2017108760.tif 000005
【図４】
2017108760.tif 000006
【図５】
2017108760.tif 000007
【図６】
2017108760.tif 000008
【図７】
2017108760.tif 000009
【図８】
2017108760.tif 000010